(57)【要約】【課題】  運転モードや湿度に応じてエアフィルタの自動清掃運転を適切な時期に実施可能な空気調和機を提供する。【解決手段】  エアフィルタ１０の自動清掃動作が実施される場合、自動清掃動作の実施時間のカウント値である運転積算時間に乗する係数値ついて、冷房運転のときに乗する係数値が暖房運転のときに乗する係数値より大きいので、冷房運転を実施した場合に暖房運転を実施した場合と比較し、早期にエアフィルタ１０の自動清掃動作が実施されるため、湿気を多量に含む塵埃がエアフィルタ１０に付着していると推定される冷房運転の実施時において自動清掃動作が早期に実施され、エアフィルタ１０の空気の流通性が低下することなく設定された風量通りの送風が可能となることで使用者の使用感が低下することがなく、また、暖房運転の実施において、過剰にエアフィルタ１０の自動清掃動作が実施されるのを阻止することができる。【選択図】  図２０
2019045004.tif 000002
【特許請求の範囲】
【請求項１】
空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、
少なくとも冷房運転と暖房運転の運転モードを切り替えて設定可能な運転モードスイッチを有したリモコンと、
当該リモコンの前記運転モードスイッチで設定された運転モードが実施された積算時間をカウントし、当該カウントした積算時間に所定の係数値を乗した値が所定値以上となったら、前記フィルタ清掃手段を自動的に駆動させる自動清掃動作を実施する制御部と、を備え
前記制御部は、前記運転モードスイッチで設定された各運転モードに応じて積算時間に乗する係数値を設定し、冷房運転が設定された状態の積算時間に乗する係数値の方が暖房運転が設定された状態の積算時間に乗する係数値よりも大きいことを特徴とした空気調和機。
【請求項２】
空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、室内の湿度を検知する湿度センサと、
少なくとも冷房運転と暖房運転の運転モードを切り替えて設定可能な運転モードスイッチを有したリモコンと、
当該リモコンの前記運転モードスイッチで設定された運転モードが実施された積算時間をカウントし、当該カウントした積算時間に所定の係数値を乗した値が所定値以上となったら、前記フィルタ清掃手段を自動的に駆動させる自動清掃動作を実施する制御部と、を備え
前記制御部は、前記運転モードスイッチで設定された各運転モード中に前記湿度センサで検知した湿度値に応じて積算時間に乗する係数値を設定し、前記湿度センサで検知された湿度が所定値以上であった状態の積算時間に乗する係数値の方が所定値未満であった状態の積算時間に乗する係数値よりも大きいことを特徴とした空気調和機。
【請求項３】
前記リモコンは、前記送風ファンの回転数を変化させ前記吹出口から送風される空気の風量の強弱が設定可能な風量スイッチを有し、
前記制御部は、前記風量スイッチで強風が設定された各風量モードに応じて積算時間に乗する係数値を設定し、強風が設定された状態の積算時間に乗する係数値の方が弱風が設定された状態の積算時間に乗する係数値よりも大きいことを特徴とした請求項１または２記載の空気調和機。
【発明の詳細な説明】
【技術分野】
【０００１】
この発明は、エアフィルタの自動清掃機能を備えた空気調和機に関するものである。
【背景技術】
【０００２】
従来、この種のものでは、空気の吸込口に空気中の塵埃を捕集するエアフィルタを設置した室内機において、エアフィルタの塵埃を掻き取って清掃するフィルタ清掃手段を有し、冷房運転や暖房運転が実施された積算時間をカウントして、カウントした積算時間が所定時間以上となったら、冷房運転や暖房運転が停止されたタイミングでフィルタ清掃手段を自動的に駆動させ、エアフィルタに付着した塵埃を取り除くものがあった。（例えば、特許文献１）
【先行技術文献】
【特許文献】
【０００３】
【特許文献１】特開２００４−１０１１０１号公報
【発明の概要】
【発明が解決しようとする課題】
【０００４】
しかし、この従来のものでは、冷房運転が実施された状態と暖房運転が実施された状態のそれぞれの運転時間を区別せずに積算時間をカウントし、当該カウントした値が所定値以上となったらフィルタ清掃手段による自動清掃動作を開始していたので、リモコンで冷房運転が設定されたときの室内は高温多湿であり、エアフィルタに付着する塵埃に多量の湿気が含まれると推定されることから、エアフィルタに付着した塵埃がフィルタ清掃手段で掻き取りにくい状態となっている可能性が高く、エアフィルタの自動清掃動作で十分に塵埃を取り除くことができず、また、暖房運転が要求された室内は低温低湿でありエアフィルタに付着する塵埃は比較的乾いた状態であると推定されることから、フィルタ清掃手段で掻き取りやすい状態である可能性が高くなっていることから、過剰にエアフィルタの自動清掃動作が実施されていることが考えられたため、改善の余地があった。
【課題を解決するための手段】
【０００５】
上記課題を解決するために、本発明の請求項１では、空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、
少なくとも冷房運転と暖房運転の運転モードを切り替えて設定可能な運転モードスイッチを有したリモコンと、
当該リモコンの前記運転モードスイッチで設定された運転モードが実施された積算時間をカウントし、当該カウントした積算時間に所定の係数値を乗した値が所定値以上となったら、前記フィルタ清掃手段を自動的に駆動させる自動清掃動作を実施する制御部と、を備え
前記制御部は、前記運転モードスイッチで設定された各運転モードに応じて積算時間に乗する係数値を設定し、冷房運転が設定された状態の積算時間に乗する係数値の方が暖房運転が設定された状態の積算時間に乗する係数値よりも大きいことを特徴としている。
【０００６】
また、請求項２では、空気を吸い込む吸込口と空気を吹き出す吹出口とが形成された室内機と、当該室内機内に形成され前記吸込口と前記吹出口とを結ぶ空気通路と、当該空気通路の途中に配置され空気と熱交換する熱交換器と、当該熱交換器で熱交換された空気を前記吹出口から送風する送風ファンと、前記吸込口に設置され空気中の塵埃を捕集するエアフィルタと、当該エアフィルタに付着した塵埃を掻き取るフィルタ清掃手段と、室内の湿度を検知する湿度センサと、
少なくとも冷房運転と暖房運転の運転モードを切り替えて設定可能な運転モードスイッチを有したリモコンと、
当該リモコンの前記運転モードスイッチで設定された運転モードが実施された積算時間をカウントし、当該カウントした積算時間に所定の係数値を乗した値が所定値以上となったら、前記フィルタ清掃手段を自動的に駆動させる自動清掃動作を実施する制御部と、を備え
前記制御部は、前記運転モードスイッチで設定された各運転モード中に前記湿度センサで検知した湿度値に応じて積算時間に乗する係数値を設定し、前記湿度センサで検知された湿度が所定値以上であった状態の積算時間に乗する係数値の方が所定値未満であった状態の積算時間に乗する係数値よりも大きいことを特徴としている。
【０００７】
また、請求項３では、前記リモコンは、前記送風ファンの回転数を変化させ前記吹出口から送風される空気の風量の強弱が設定可能な風量スイッチを有し、
前記制御部は、前記風量スイッチで強風が設定された各風量モードに応じて積算時間に乗する係数値を設定し、強風が設定された状態の積算時間に乗する係数値の方が弱風が設定された状態の積算時間に乗する係数値よりも大きいことを特徴としている。
【発明の効果】
【０００８】
この発明によれば、運転モードスイッチで設定された各運転モードに応じて積算時間に乗する係数値を設定し、冷房運転が設定された状態の積算時間に乗する係数値の方が暖房運転が設定された状態の積算時間に乗する係数値よりも大きいので、湿気を多く含んだ塵埃がエアフィルタに付着していると推定される冷房運転時の方が暖房運転時よりも早く自動清掃動作が実施されるため、エアフィルタに付着した塵埃の掻き取りやすさに応じた周期でフィルタ清掃動作が実施され、冷房運転の実施時はエアフィルタに付着した塵埃をフィルタ清掃動作で確実に捕集することができ、暖房運転の実施時は過剰にフィルタ清掃動作が実施されるのを阻止する。
【０００９】
また、運転モードスイッチで設定された各運転モード中に湿度センサで検知した湿度値に応じて積算時間に乗する係数値を設定し、湿度センサで検知された湿度が所定値以上であった状態の積算時間に乗する係数値の方が所定値未満であった状態の積算時間に乗する係数値よりも大きいので、湿度センサで検知された湿度が高い状態であれば湿気を多く含んだ塵埃がエアフィルタに付着していると推定されることから、湿度センサで検知された湿度が低いときよりも早く自動清掃動作が実施されるため、検知された湿度値が高いときはエアフィルタに付着した塵埃をフィルタ清掃動作で確実に捕集することができ、検知された湿度値が低いときは過剰にフィルタ清掃動作が過剰に実施されるのを阻止する。
【００１０】
また、風量スイッチで強風が設定された各風量モードに応じて積算時間に乗する係数値を設定し、強風が設定された状態の積算時間に乗する係数値の方が弱風が設定された状態の積算時間に乗する係数値よりも大きいので、多量の塵埃がエアフィルタに付着すると推定される強風運転の実施時の方が弱風運転の実施時より早くフィルタ清掃が実施されるため、エアフィルタに多量の塵埃が付着したまま運転が実施されるのを未然に防止するころができる。
【図面の簡単な説明】
【００１１】
【図１】この発明一実施形態を示す斜視図
【図２】同実施形態の側面視断面図
【図３】同実施形態の展開斜視図
【図４】同実施形態のユニット枠の平面図
【図５】同実施形態のユニット枠の右側面図
【図６】同実施形態の図４に示すＡ−Ａ断面図
【図７】同実施形態のブラシの正面図
【図８】同実施形態のフィルタ駆動部の正面図
【図９】同モータユニットの展開斜視図
【図１０】同実施形態の背面板の正面図
【図１１】同実施形態の図１０に示すＢ−Ｂ断面図
【図１２】同実施形態のフィルタ案内板の正面図
【図１３】同実施形態の図１２に示すＣ−Ｃ断面図
【図１４】同実施形態の後板の斜視図
【図１５】同実施形態の後板の断面図
【図１６】同実施形態の前面カバーの斜視図
【図１７】同実施形態の前面カバーの断面図
【図１８】同実施形態のエアフィルタの正面図
【図１９】同実施形態の制御ブロック図
【図２０】同実施形態のフィルタ清掃動作を説明するフローチャート
【図２１】同実施形態の係数値を説明する図
【図２２】同発明の他の実施形態のフィルタ清掃動作を説明するフローチャート
【図２３】同他の実施形態の係数値を説明する図
【発明を実施するための形態】
【００１２】
次に、この発明の空気調和機の一実施形態について説明する。
１はセパレート式空気調和機の室内機で、背面板２と後板３と前面カバー４とオープンパネル５で外枠６を形成し、前記前面カバー４の前面に位置する前記オープンパネル５上部左右に設けた支軸（図示せず）を支点として前面カバー４の前方へ開閉自在に取付られる。
【００１３】
７は前面カバー４の上面にあり横長格子状の吸込口、８は前面カバー４の下方から底面にあり斜め前方に温度調節された空気を吹き出す横長の吹出口であり、吸込口７から吹出口８の間に空気通路９を形成している。
この空気通路９の吸込口７の内側には、吸込空気内に含まれる塵埃を取り除く左右一対のエアフィルタ１０を有し、このエアフィルタ１０の更に内側（下流側）には、横長のフィンチューブ式の熱交換器１１を有し、その前後方向の中間部を頂部として側面視で逆Ｖ字状に配置されている。
【００１４】
また、前記熱交換器１１の下方には、横長のクロスフローファンから成る送風ファン１２が備えられ、前記吹出口８には、運転時に上下方向の吹出風の風向を調整すると共に停止時には自動的に吹出口８を閉じる上下風向板１３と、左右方向の吹出風の風向を調整する左右風向板１４とが備えられている。
【００１５】
１５はブラシユニットで、当該ブラシユニット１５は、横長格子状の縦桟１６と横桟１７とで形成されたユニット枠１８と、当該ユニット枠１８の先端にありエアフィルタ１０に付着した塵埃を掻き取るブラシ１９と、エアフィルタ１０を背面側に移動させるフィルタ駆動部２０とで構成されている。  
【００１６】
前記ユニット枠１８は、後側の両端に突出する左右端部２１を有し、当該左右端部２１にそれぞれブラシ取付孔２２が形成され、当該ブラシ取付孔２２にブラシ１９の回転軸２３を挿入することで、ブラシ１９はブラシ取付孔２２を軸にして回転可能となる。
【００１７】
２４は左右端部２１のブラシ取付孔２２よりも前方で左右外側にある一対のスライド突起であり、ブラシユニット１５着脱時のガイドとして使用し、２５は縦桟１６の前端外側にある左右一対の係止突起であり、ブラシユニット１５装着時のストッパとして使用し、２６は前記縦桟１６のスライド突起２４よりも更に前方あるフィルタ駆動部取付孔である。
また、２７は左右の縦桟１６の内側面にありエアフィルタ１０が移動する際にガイドの役目をするスライド溝２７であり、２８は前記ブラシ１９の両端にありブラシ１９の回転力を伝えるブラシ歯車である。
【００１８】
前記フィルタ駆動部２０は、アルミニウム製の棒から成る駆動軸２９と、当該駆動軸２９の両端に貫通固定した一対の駆動歯車３０とで構成され、駆動歯車３０よりも外側に駆動軸２９が突出してフィルタ駆動部取付孔２６に挿入することでフィルタ駆動部２０はフィルタ駆動部取付孔２６を軸に回転する。
【００１９】
４０はモータユニットであり、当該モータユニット４０は、ブラシ１９を回転駆動させるブラシモータ４１と、フィルタ駆動部２０を回転駆動させる送りモータ４２とで構成されており、ブラシモータ４１と送りモータ４２とは正逆回転可能なステップモータを使用し、制御部４３からの信号に応じてブラシ１９とフィルタ駆動部２０とを作動させ、エアフイルタ１０の清掃を実施する。
【００２０】
４４はモータ取付板であり、一方の側面にブラシモータ４１と送りモータ４２をネジ止めし、モータ軸４５、４６と他方の側面に備えた連動ギア４７、４８をモータ取付板４４の貫通孔４９、５０で貫通して接続する。
５１はギアカバーであり、前記連動ギア４７、４８を覆うと共に軸孔５２、５３を備え、前記貫通孔４９、５０と軸孔５２、５３の間に連動ギア４７、４８を回動自在に保持する。  ギアカバー５１は、モータ取付板４４の端部に設けた爪部５４と係止部５５とで係止してモータ取付板４４に取り付けられ、モータユニット４０は前記背面板２の上部左右端にネジ止めするための固定孔５６を有している。
モータユニット４０は１つのエアフィルタ１０に対して１セット備えられ、右側に配置されたエアフィルタ１０に対応するモータユニット４０の構成は、先に説明した構成と対称形となる右側配置用のモータユニット４０を有している。
【００２１】
前記背面板２は室内機１の最後部を構成し、背面板２には、上部に室内の壁面に取り付けるための据付板（図示せず）に係止するための係止凹部７０と、下部に据付板に爪引っ掛けで固定するための爪部７１とを有している。
また、背面板２には、前記ブラシユニット１５とモータユニット４０側から落下してくる塵埃を下方に送るダストシュータ７２（第２空間）の後面７３と、当該後面７３の前方側に垂直に立設する複数の側壁７４とが形成されている。
【００２２】
前記側壁７４の左側上部と背面板２の左側外枠７５の間には前記モータユニット４０を取り付け可能な左モータユニット取付部７６が形成されており、組み付け工程時にモータユニット４０を取り付けて、モータ取付板４４の固定孔５６にネジ止め固定する。
また、右端の側壁７４の右側上部で右側外枠７７との間には右モータユニット取付部７８が設けられており、モータユニット４０と同様にネジ止めによって固定する。
また、後面７３の中央稍上部には、４つの円柱が立設されたフィルタ案内板７９を固定する固定用円柱８０が形成されている。
【００２３】
前記フィルタ案内板７９の中央稍上部には前記固定用円柱８０に対向する固定孔８１が左右一対備えられ、フィルタ案内板７９を背面板２にネジ止め固定し、フィルタ案内板７９の背面は前記ダストシュータ７２（第２空間）の前面８２を形成しており、当該前面８２と後面７３の間をエアフィルタ１０から掻き取られた塵埃が落下する。
【００２４】
８３は前記フィルタ案内板７９の上端と平行となるように設置されたクシ歯であり、クシ歯８３の先端がブラシ１９に食い込むことで、エアフィルタ１０から掻き取りブラシ１９に付着した塵埃をブラシ１９から分離してダストシュータ７２側へ落とす。
クシ歯８３は、先端をブラシ１９の回転軸２３の方向に向かって突出し、ブラシ１９の毛量や剛性に応じてブラシ１９に食い込むクシ歯８３の量について、ブラシ１９とクシ歯８３の距離を変化させることで調整できる。８４は前記フィルタ案内板７９の左右端にあり後板３方向へ突出する側板であり、フィルタ清掃の時にエアフィルタ１０の左右端がスライド可能な案内溝８５を有しており、フイルタ清掃の時には後板３とフィルタ案内板７９の間の空間であるフィルタ経路８６（第１空間）内をフィルタ１０が上下方向に摺動する。
【００２５】
前記後板３の上部には、ブラシユニット１５を取り付けるためのコの字状の開口部８７を２つ形成し、当該開口部８７の左右内側面には、ブラシユニット１５のスライド突起２４を案内する溝８８が形成されている。８９は後部ドレンパンであり、上方に前記熱交換器１１の後部が配置されることで、冷房運転時には熱交換器１１後部から発生する結露水を集積排水する。９０はケーシングであり、前方には所定の空間を隔てて前記送風ファン１２を備えている。送風ファン１２は横長円柱状で多数の羽根を有するクロスフロー型のファンで、ケーシング９０の左側面９１に取り付ける軸受け（図示せず）と、ケーシング９０の右側面９２の右側に取り付けられる送風モータ９３の回動軸９４との間で垂直方向に回転する。９５は左右端部と中央の上下等に備える取付孔であり、背面板２に立設した取付リブ９６等に取付孔９５を貫通してネジ止め固定する。９７は後板３上面の左右に備えた一対の前面カバー取付片であり、先端部には上方向に係止用の突起９８が形成されている。
【００２６】
９９は前部ドレンパンであり、上方に前記熱交換器１１の前部が配置されることで、冷房運転時には熱交換器１１前部から発生する結露水を集積排水する。また、前部ドレンパン９９の左右端には取付脚（図示せず）が備えられ、当該取付脚を後板３に嵌め込むことで後板３に取り付けられる。
【００２７】
１００はダストボックスで、後板３の底面で前記ダストシュータ７２の下部に備える塵埃排出口１０１に下方から図示しない把手を掴むことで着脱自在となるように設置する。  なお、ダストボックス１００は、１年間のフィルタ清掃で発生した塵埃が溢れ出すことなく溜めることが十分に可能な容量を備えている。１０２は後板３下部に設けた前面カバー取付孔で、前面カバー４の下部をネジ止め固定する。
【００２８】
前記前面カバー４は、左側板１１０と右側板１１１の間の上面を繋ぐ上フレーム１１２と、底面を繋ぐ下フレーム１１３と、前面中央より稍下方を繋ぐ前フレーム１１４と、左右方向の略中央で上フレーム１１２と前フレーム１１４を垂直に接続する中央フレーム１１５とを備えている。左側板１１０と中央フレーム１１５の上部内側には、後板３の溝８８と連続する溝１１６と、当該溝１１６の前方にコの字型係止部１１７とが形成され、この溝８８、１１６によってブラシユニット１５のスライド突起２４を案内し、ブラシユニット１５が最後部に突き当たった状態で下方に引き下ろすことで、ブラシユニット１５の係止突起２５がコの字型係止部１１７に嵌り込み、ブラシユニット１５がセットされる。
【００２９】
１１８は前記溝１１６の下方に備えたフィルタ溝で、ユニット枠１８のスライド溝２７に連続して接続され前記エアフィルタ１０の左右端部を保持する。
フィルタ溝１１８の下端にはフィルタ挿入部１１９が形成され、方形状で柔軟性を有するエアフィルタ１０をフィルタ挿入部１１９から差し込み、エアフィルタ１０の先端がブラシ１９とフィルタ駆動部２０の位置まで移動させることで、エアフィルタ１０が通常運転時の位置にセットされる。
１２０は左側板１１０と右側板１１１の上面に貫通して設けた取付孔で、前記後板３の前面カバー取付片９７先端の突起９８が係止して前面カバー４上部を固定する。前面カバー４上部を係止後に前面カバー４下部を下部取付孔（図示せず）で後板３にネジ止め固定する。前フレーム１１４と下フレーム１１３の間には前記吹出口８が形成され、吹出口８の左右方向の略中央には前フレーム１１４と下フレーム１１３を垂直に補強する補強フレーム１２１を備え、吹出口８下部の下フレーム１１３には回動自在に取り付けられた左右風向板１４を有している。また、吹出口８の側壁１２３には回動自在に上下風向板１３を有している。
【００３０】
前記エアフィルタ１０には、方形状で多数の縦桟１２２と横桟１２３に樹脂製の網１２４が溶着して設けられ、両端の縦桟１２２にフィルタ駆動部２０の駆動歯車３０と噛み合うラック１２５が形成されている。
この構成により、フィルタ清掃時には駆動歯車３０の回転によりフィルタ１０が駆動歯車３０とブラシ１９の間を通過してフィルタ案内板７９の方向に送られる。また、駆動歯車３０とブラシ１９の間を通過する際にはエアフィルタ１０の表面に付着した塵埃をブラシ１９で掻き取って除去する。
そして、フィルタ清掃手段は、前記ラック１２５に係合してフイルタ１０をフイルタ案内板７９側へ送る駆動歯車３０と、駆動歯車３０を回転させる送りモータ４２と、フイルタ１０の表面に付着した塵埃を掻き取って除去するブラシ１９と、ブラシ１９を回転するブラシモータ４１と、ブラシ１９に付着した塵埃をダストシュータ側へ掻き落とすクシ歯８３と、で構成される。
【００３１】
前記オープンパネル５は、前面カバ−４の上部左右両端に備えた一対の係止軸（図示せず）に対向して係止部（図示せず）を中心に回動自在に設け、オープンパネル５の下部両端は前面カバ−４の前フレーム１１４に係止して固定される。
【００３２】
前記制御部４３について詳述すると、入力側には、室内の温度を検知する室温センサ１２６と、吸込口７付近に設置され室内の湿度を検知する湿度センサ１２７と、熱交換器１１の温度を検知する熱交センサ１２８と、前記フィルタ案内板７９のフィルタ経路８６（第１空間）に配置されエアフィルタ１０の位置をＯＮ／ＯＦＦ状態で検知するマイクロスイッチで構成されたフイルタセンサ１２９と、で検知された各種情報が電気信号で入力されるよう配線が接続されている。
また、出力側には、送風ファン１２を所定の回転数で回転駆動させる送風モータ１３０と、上下風向板１３の位置を動作させる上下風向モータ１３１と、左右風向板１４の位置を動作させる左右風向モータ１３２と、ブラシ１９を回転駆動させるブラシモータ４１と、フィルタ駆動部２０を回転駆動させる送りモータ４２と、に所定の指示が出力されるよう配線が接続されている。
【００３３】
１４０は無線通信で制御部４３へ信号を送信するリモコンであり、当該リモコン１４０には、吹出口８から温風を吹き出すことで室内を加熱する暖房運転と、吹出口８から冷風を吹き出すことで室内を冷却する冷房運転とを切り替え可能な運転モードスイッチ１４１と、各運転モードにおける風量について、自動、微風、弱風、強風から選択可能な風量スイッチ１４２とが備えられており、リモコン１４０から送信される指示信号に応じて制御部４３が室内機１内の各種アクチュエータを適切に制御する。
【００３４】
（エアフィルタ清掃時の動作）
次に、フィルタ清掃手段によりエアフィルタ１０の清掃を実施するときにおける各部の動作内容について詳述する。
冷房運転あるいは暖房運転の停止指示が出されたときにエアフィルタ１０の自動清掃動作が許可されており、かつ後述する運転時間の積算値の条件が満たされているか、あるいは、手動でのエアフィルタ１０の自動清掃動作が指示されたら、制御部４３は、ブラシモータ４１と送りモータ４２とを駆動開始させ、ブラシ１９とフィルタ駆動部２０を回転駆動させる。
【００３５】
これにより、送りモータ４２が回転駆動することでエアフィルタ１０のラック１２５が噛み合い、エアフィルタ１０が後方のフィルタ経路８６（第１空間）側に徐々に引き込まれ、ブラシ１９が回転駆動することでエアフィルタ１０の上面側に集積した塵埃が掻き取られる。
そして、ブラシ１９に付着した塵埃は、フィルタ案内板７９のクシ歯８３によりダストシュータ７２側に掻き落とされダストボックス１００に集積捕集される。
【００３６】
その後、エアフィルタ１０の先端がフィルタ経路８６の下端付近に配置されたフィルタセンサ１２９の位置に到達し、フィルタセンサ１２９がＯＮ信号を出力したと制御部４３が判断したら、制御部４３は、送りモータ４２の回転方向を反転させて駆動させることで、エアフィルタ１０を前面カバー４のフィルタ挿入部１１９側へ戻す。
この時、ブラシモータ４１の回転方向は変化しないため、ブラシ１９やクシ歯８３に付着した塵埃がエアフィルタ１０側へ再度付着しない。
【００３７】
フィルタセンサ１２９でＯＮ信号が出力され送りモータ４２の回転方向が反転された後、制御部４３は、送りモータ４２の回転方向を反転させてからカウントした送りモータ４２のステップ数が所定値に達したと判断したら、エアフィルタ１０が清掃動作開始前の位置に戻ったとして送りモータ４２の反転駆動を停止し、エアフィルタ１０が所定の往復回数だけフィルタ経路８６を通過したと判断したら、ブラシモータ４１と送りモータ４２の駆動を停止させエアフィルタ１０の清掃動作を終了する。
【００３８】
以上のようにエアフィルタ１０の清掃動作が定期的に実施されることで、エアフィルタ１０に多量の塵埃が付着したまま冷房運転や暖房運転が継続して実施されることがなく、エアフィルタ１０の空気の流通性を良好な状態に保持することができるため、冷房、暖房運転時に設定された風量通りに室内へ送風することができ、使用者の使用感を損ねることがない。
【００３９】
また、エアフィルタ１０の清掃動作が実施されてから数ヶ月から一年経過したことで、ダストボックス１００内の塵埃を捨てるときは、後板３の塵埃排出口１０１からダストボックス１００の把手を握って下方へ引くことで、簡易にダストボックス１００を取り外すことが可能なので、オープンパネル５を開放することなくダストボックス１００内の塵埃の除去が可能であり、使用者の使い勝手がよい。
【００４０】
（運転モードと風量に応じた自動清掃動作の流れ）
次に、本実施形態におけるエアフィルタ１０の自動清掃動作の流れについて、図２０のフローチャートに基づき詳述する。
まず、制御部４３は、リモコン１４０の運転モードスイッチ１４１で暖房運転または冷房運転の運転開始が設定されたか判断し（ステップＳ１０１）、運転開始が設定されていれば、設定された運転モードの積算時間と設定風量とに応じて決定される係数値ｃを選択し、各運転モードの積算時間に係数値ｃを乗したＴを算出し（ステップＳ１０２）、運転開始が設定されていなければ同ステップＳ１０１の判断を繰り返す。
【００４１】
前記ステップＳ１０２で算出するＴについて詳述する。
制御部４３は、図２１に示す表から運転停止直前までの運転モードの積算時間と風量とに基づいて係数値ｃを選択し、前記Ｔを算出する。
例えば、運転開始から停止までの間の運転モードが冷房運転であり、風量設定が４時間は弱風、２時間は微風で運転されていたと制御部４３が判断した場合、前記Ｔは以下の様に算出される。
Ｔ＝４×１．５＋２×１＝８
また、運転開始から停止までの間の運転モードが暖房運転であり、風量設定が４時間は弱風、２時間は微風で運転さていたと制御部４３が判断した場合、前記Ｔは以下の様に算出される。
Ｔ＝４×１＋２×０．５＝６
【００４２】
前記ステップＳ１０２の処理が完了したら、制御部４３は、運転停止指示があったか判断し（ステップＳ１０３）、運転停止指示があれば、前記Ｔに過去の各運転モードの積算時間に係数値を乗したＴｐを加えた合計値Ｔａを算出し（ステップＳ１０４）、運転停止指示がなければ、前記ステップＳ１０１の判断に戻る。
【００４３】
前記ステップＳ１０４でＴａを算出したら、制御部４３は、Ｔａが所定値である２４以上か判断し（ステップＳ１０５）、Ｔａが２４以上であると判断したら、ブラシモータ４１と送りモータ４２とを駆動開始させることで、エアフィルタ１０の自動清掃動作を開始すると共に算出したＴａ及びＴｐを消去して制御を終了し（ステップＳ１０６）、Ｔａが２４未満であると判断したら、ＴａをＴｐに含ませるように処理し（ステップＳ１０７）、前記ステップＳ１０１の判断に戻る。
【００４４】
以上のように、エアフィルタ１０の自動清掃動作が実施される場合、自動清掃動作の実施時間のカウント値である運転積算時間に乗する係数値ついて、冷房運転のときに乗する係数値が暖房運転のときに乗する係数値より大きいので、冷房運転を実施した場合に暖房運転を実施した場合と比較し、早期にエアフィルタ１０の自動清掃動作が実施されるため、湿気を多量に含む塵埃がエアフィルタ１０に付着していると推定される冷房運転の実施時において自動清掃動作が早期に実施され、エアフィルタ１０の空気の流通性が低下することなく設定された風量通りの送風が可能となることで使用者の使用感が低下することがなく、また、暖房運転の実施において、過剰にエアフィルタ１０の自動清掃動作が実施されるのを阻止することができる。
【００４５】
（検知湿度と風量に応じた自動清掃動作の流れ）
次に、本発明の別実施形態における自動清掃動作の流れについて、図２２に基づいて説明する。
なお、別実施形態については室内機１の構成や制御部４３の入力、出力側に接続される各種センサやモータ類、及びリモコン１４０のスイッチ類について前記した実施形態と同一であることから説明を省略する。
まず、制御部４３は、リモコン１４０の運転モードスイッチ１４１で暖房運転または冷房運転の運転開始が設定されたか判断し（ステップＳ２０１）、運転開始が設定されていれば、湿度センサ１２７で検知された湿度と設定風量とに応じて決定される係数値ｃを選択し、各運転モードの実施時間に係数値を乗したＴを算出し（ステップＳ２０２）、運転開始が設定されていなければ同ステップＳ２０１の判断を繰り返す。
【００４６】
前記ステップＳ２０２で算出するＴについて詳述する。
制御部４３は、図２３に示す表から運転停止直前までにおける湿度センサ１２７での検知湿度と風量とに基づいて係数値ｃを選択し、前記Ｔを算出する。
例えば、運転開始から停止までの間、４時間の検知湿度が所定値である６０％ＲＨ以上で風量設定が弱風、２時間の検知湿度が６０％ＲＨ未満で風量設定が弱風だったと制御部４３が判断した場合、前記Ｔは以下の様に算出される。
Ｔ＝４×１．５＋２×１＝８
【００４７】
前記ステップＳ２０２でＴを算出した後のステップＳ２０３からステップＳ２０７については、前記ステップＳ１０３からステップＳ１０７と同一であるため、説明を省略する。
【００４８】
以上のように、エアフィルタ１０の自動清掃動作が実施される場合、自動清掃動作の実施時間のカウント値である運転積算時間に乗する係数値について、検知湿度が所定値である６０％ＲＨ以上のときに乗する係数値が検知湿度が６０％ＲＨ未満のときに乗する係数値より大きいので、室内の湿度が高いときに早期にエアフィルタ１０の自動清掃動作が実施されるため、湿気を多量に含む塵埃がエアフィルタ１０に付着していれば自動清掃動作が早期に実施され、エアフィルタ１０の空気の流通性が低下することなく設定された風量通りの送風が可能となり使用者の使用感が低下することがなく、また、エアフィルタ１０に付着する塵埃が乾いていれば、過剰にエアフィルタ１０の自動清掃動作が実施されるのを阻止することができる。
【００４９】
また、前記実施形態と他の実施形態と共に、設定された風量の大きさに比例して積算時間に乗する係数値が大きくなるので、風量モードが強風に設定されエアフィルタ１０に多量の塵埃が付着しやすい状態であれば早期に自動清掃動作が開始されるため、エアフィルタ１０の空気の流通性が低下することなく設定された風量通りの送風が可能となり、使用者の使用感が低下しない。
【００５０】
なお、本実施形態ではＴａについて所定値を２４として算出値と比較しているが、所定値の２４は一例であり、各種試験結果や室内環境に応じて適当な値に設定することが可能である。同様に、他の実施形態で検知湿度の所定値を６０％ＲＨとして説明したが、これに限らず、各種試験結果や室内環境に応じて適当な値に設定することが可能である。
【００５１】
また、室内の湿度を低下させることを主として実施される除湿運転がリモコン１４０で設定可能であれば、当該除湿運転に対して独自の係数値を設定して積算時間の合計値Ｔａを算出するとき、除湿運転の運転時間に設定された係数値を乗して他の運転モードの積算時間と足し合わせ、Ｔａが所定値以上かを判断して自動清掃動作の実施有無を判断してもよい。
除湿運転が実施されるときは、室内の湿度が高くエアフィルタ１０に付着した塵埃に含まれる水分量が多いことが推定されることから、冷房運転時の係数値よりも高い数値を係数値にして早期に自動清掃動作が開始されるようにすることで、エアフィルタ１０に付着した塵埃を効率良く取り除くことができる。
【００５２】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。 
【符号の説明】
【００５３】
１    室内機
７    吸込口
８    吹出口
９    空気通路
１０    エアフィルタ
１１    熱交換器
１２    送風ファン
１９    ブラシ（フィルタ清掃手段）
３０    駆動歯車（フィルタ清掃手段）
４１    ブラシモータ（フィルタ清掃手段）
４２    送りモータ（フィルタ清掃手段）
８３    クシ歯（フィルタ清掃手段）
１２７  湿度センサ
１４０  リモコン
１４１  運転モードスイッチ
１４２  風量スイッチ
【図１】
2019045004.tif 000003
【図２】
2019045004.tif 000004
【図３】
2019045004.tif 000005
【図４】
2019045004.tif 000006
【図５】
2019045004.tif 000007
【図６】
2019045004.tif 000008
【図７】
2019045004.tif 000009
【図８】
2019045004.tif 000010
【図９】
2019045004.tif 000011
【図１０】
2019045004.tif 000012
【図１１】
2019045004.tif 000013
【図１２】
2019045004.tif 000014
【図１３】
2019045004.tif 000015
【図１４】
2019045004.tif 000016
【図１５】
2019045004.tif 000017
【図１６】
2019045004.tif 000018
【図１７】
2019045004.tif 000019
【図１８】
2019045004.tif 000020
【図１９】
2019045004.tif 000021
【図２０】
2019045004.tif 000022
【図２１】
2019045004.tif 000023
【図２２】
2019045004.tif 000024
【図２３】
2019045004.tif 000025